(57)【要約】      （修正有）【課題】地震で左右の建物が異なる方向に揺れ動くと、摩擦が少なくスムーズに小口カバーをスライド移動させて、損傷や内部への風雨の侵入を効率よく阻止し、長期間設計通りに作動させることができ、かつ容易に設置作業ができる笠木装置を提供する。【解決手段】左右の建物３のパラペット間あるいは一方の建物の外壁面と他方の建物のパラペットとの間を覆う笠木カバー取付装置を介して取付けられた笠木カバー６と、この笠木カバーの両端部を覆うように取付けられた小口カバー８とからなる笠木装置１において、小口カバーを笠木カバーの端部より外方へスライド移動できるように介装されたローラーを用いたスライドレール、あるいは多数個のローラーと、小口カバーが笠木カバーより外れるのを防止する外れ防止部材と、小口カバーのカバー板１０が常時笠木カバーの端部に当接するように付勢する小口カバー付勢装置１１とで笠木装置を構成している。【選択図】図１
2015055114.tif 000002
【特許請求の範囲】
【請求項１】
目地部を介して設けられた左右の建物のパラペット間あるいは一方の建物の外壁面と他方の建物のパラペットとの間を覆う笠木カバー取付装置を介して取付けられた笠木カバーと、この笠木カバーの両端部を覆うように小口カバー取付具を介して取付けられた小口カバーとからなる笠木装置において、前記笠木カバーの上面と小口カバーの上面の内壁面に、該小口カバーを該笠木カバーの端部より外方へスライド移動できるように介装された複数個のローラーを用いた複数個のスライドレール、あるいは多数個のローラーと、前記笠木カバーの上面および側部板と前記小口カバーの該部と対応する部位に取付けられた、該小口カバーが該笠木カバーより外れるのを防止する外れ防止部材と、前記小口カバーのカバー板が常時前記笠木カバーの端部に当接するように付勢する小口カバー付勢装置とからなることを特徴とする笠木装置。
【請求項２】
スライドレールは笠木カバーの上面あるいは小口カバーの上面の内壁面に固定されるＴ字状の固定レールと、この固定レールにスライド移動可能に係合するリップ形鋼形状の小口カバーの上面の内壁面あるいは笠木カバーの上面に固定される可動側レールと、この可動側レールと前記固定レールとの間に介装された、該可動側レールをスライド移動させる複数個のスライドローラーと、前記固定レールの上部側に位置する部位に複数個取付けられた、前記可動側レールの内壁面と接触してスライド方向に案内するガイドローラーとで構成されていることを特徴とする請求項１記載の笠木装置。
【発明の詳細な説明】
【技術分野】
【０００１】
本発明は目地部を介して設けられた左右の建物のパラペット間あるいは高い方の一方の建物の外壁面と低い方の他方の建物のパラペット間を覆う笠木装置に関する。
【背景技術】
【０００２】
従来の笠木装置は笠木カバーの両端部に、地震で左右の建物が異なる前後方向に揺れ動いたり、あるいは目地部が狭くなるように揺れ動いて、外壁用目地装置が外方へ突出した場合に、外方へスライド移動できる小口カバーが取付けられている。
しかし、従来の笠木装置は笠木カバーに対して小口カバーがスライド移動できるように取付けられているため、実際に地震が発生して左右の建物が揺れ動いた場合、錆付いていたり、ゴミの浸入等で設計通りに、笠木カバーに対して小口カバーがスムーズにスライド移動しないという欠点があった。
【先行技術文献】
【特許文献】
【０００３】
【特許文献１】特許第４４５２２２７号公報
【発明の概要】
【発明が解決しようとする課題】
【０００４】
本発明は以上のような従来の欠点に鑑み、地震で左右の建物が異なる方向に揺れ動くと、摩擦が少なく、スムーズに小口カバーをスライド移動させて、損傷や、内部への風雨の侵入を効率よく阻止し、長期間設計通りに作動させることができ、かつ容易に設置作業ができる笠木装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物のパラペット間あるいは一方の建物の外壁面と他方の建物のパラペットとの間を覆う笠木カバー取付装置を介して取付けられた笠木カバーと、この笠木カバーの両端部を覆うように小口カバー取付具を介して取付けられた小口カバーとからなる笠木装置において、前記笠木カバーの上面と小口カバーの上面の内壁面に、該小口カバーを該笠木カバーの端部より外方へスライド移動できるように介装された複数個のローラーを用いた複数個のスライドレール、あるいは多数個のローラーと、前記笠木カバーの上面および側部板と前記小口カバーの該部と対応する部位に取付けられた、該小口カバーが該笠木カバーより外れるのを防止する外れ防止部材と、前記小口カバーのカバー板が常時前記笠木カバーの端部に当接するように付勢する小口カバー付勢装置とで笠木装置を構成している。
【発明の効果】
【０００７】
以上の説明から明らかなように、本発明にあっては次に列挙する効果が得られる。
（１）請求項１により、笠木カバーに対し、小口カバーを複数個のローラーを用いた複数個のスライドレールあるいは多数個のローラーによって、スムーズにスライド移動させることができる。  
（２）前記（１）によって、外れ防止部材によって小口カバーが笠木カバーから外れるのを確実に防止することができる。
（３）前記（１）により、小口カバー付勢装置によって、スライド移動した小口カバーを元の位置へ自動的に戻すことができる。
したがって、経済的に使用することができる。
（４）前記（１）により、小口カバーを複数個のローラーを用いた複数個のスライドレールあるいは多数個のローラーによって、笠木カバーに対して抵抗が少なくスライド移動できるようにしているので、小口カバーにスライド移動方向以外の力が加わっても、小口カバーをスムーズにスライド移動方向にスライド移動させることができ、損傷を効率よく阻止することができる。
（５）請求項２も前記（１）〜（４）と同様な効果が得られるとともに、製造が容易で、よりスムーズにスライド移動が可能なスライドレールを用いることができる。
【図面の簡単な説明】
【０００８】
【図１】本発明を実施するための第１の形態の平面図。
【図２】本発明を実施するための第１の形態の正面図。
【図３】図１の３−３線に沿う断面図。
【図４】本発明を実施するための第１の形態の笠木カバーの平面図。
【図５】本発明を実施するための第１の形態の笠木カバーの底面図。
【図６】図４の６−６線に沿う断面図。
【図７】本発明を実施するための第１の形態のスライドレールの説明図。
【図８】本発明を実施するための第１の形態の小口カバーの平面図。
【図９】本発明を実施するための第１の形態の小口カバーの底面図。
【図１０】図８の１０−１０線に沿う断面図。
【図１１】本発明を実施するための第１の形態の地震で左右の建物が異なる前後方向に揺れ動いた動作説明図。
【図１２】本発明を実施するための第２の形態の平面図。
【図１３】図１２の１３−１３線に沿う断面図。
【図１４】本発明を実施するための第２の形態の小口カバーを外した状態の平面図。
【図１５】本発明を実施するための第３の形態の平面図。
【図１６】本発明を実施するための第３の形態の正面図。
【図１７】図１５の１７−１７線に沿う断面図。
【図１８】本発明を実施するための第４の形態の平面図。
【図１９】本発明を実施するための第４の形態の正面図。
【図２０】図１８の２０−２０線に沿う断面図。
【発明を実施するための形態】
【０００９】
以下、図面に示す本発明を実施するための形態により、本発明を詳細に説明する。
【００１０】
図１ないし図１１に示す本発明を実施するための第１の形態において、１は目地部２を介して設けられた左右の建物３、３のパラペット４、４間を覆う本発明の笠木装置で、この笠木装置１は前記パラペット４、４に取付けられた笠木カバー取付装置５を介して取付けられた笠木カバー６と、この笠木カバー６の両端部に取付けられた複数個のスライドレール７、７を介して、該両端部を覆うように取付けられた小口カバー８、８と、この小口カバー８、８が前記笠木カバー６より外れるのを防止する外れ防止部材９、９、９、９、９Ａ、９Ａと、前記小口カバー８、８のカバー板１０、１０が常時前記笠木カバー６の端部に当接するように付勢する小口カバー付勢装置１１、１１とで構成されている。
【００１１】
なお、前記左右の建物３、３の外壁面３ａ、３ａ間には、地震によって左右の建物３、３が異なる左右方向や前後方向に揺れ動いても、その揺れ動きを吸収することができる外壁用目地装置１２、１２が取付けられている。
【００１２】
この外壁用目地装置１２、１２は現在使用されているものであれば、どんな構造のものであってもよい。
【００１３】
前記笠木カバー取付装置は、前記目地部２側の左右の建物３、３のパラペット４、４の上部に、目地部２側が高くなるように固定された上面が傾斜面１３の水切り台１４、１４と、この水切り台１４、１４の上面に固定された上部が上方へコ字状に突出する支持部１５が形成され、下部が下方へ突出する水切り部１６が形成された水切り台本体１７、１７と、この水切り台本体１７、１７の支持部１５、１５に所定間隔で固定された複数個のコ字状のガイド部材１８、１８と、この複数個のガイド部材１８、１８に前後方向にスライド移動できるように両端部寄りが挿入された複数個の横桟１９および、この横桟１９の両端部に取付けられた取付けバー２０、２０と、前記パラペット４、４に両端部が枢支金具２１、２１で枢支された中央部に中央枢支部２２を有する四角枠が２個形成されたパンタグラフ形状の複数個の中央維持装置２３と、この複数個の中央維持装置２３の中央枢支部２２に一端部が枢支され、他端部が前記複数個の横桟１９にそれぞれ枢支された複数個の支持杆２４とで構成されている。
【００１４】
前記笠木カバー６は笠木カバー支持フレーム２５と、この笠木カバー支持フレーム２５を覆う笠木カバー本体２６とで構成され、前記笠木カバー支持フレーム２５は角パイプ材を用いて格子状で、かつ山形形状に形成された支持フレーム本体２７、この支持フレーム本体２７の両端部より下方へ突出させた、前記笠木カバー取付装置５の取付けバー２０、２０に取付けられる両側支持フレーム２８、２８とで構成されている。
【００１５】
また、前記笠木カバー本体２６は前記笠木カバー支持フレーム２５の支持フレーム本体２７を覆うように固定された山形形状の笠木カバー体２９と、この笠木カバー体２９の両端部と一体形成された下方へ突出し、前記笠木カバー支持フレーム２５の両側支持フレーム２８、２８に固定される両側部材３０、３０とで構成されている。
【００１６】
前記複数個のスライドレール７、７は、前記笠木カバー体２９の両端部寄りの部位に、本発明の実施の形態では所定間隔で６個配置されており、その構造は前記笠木カバー体２９の両端部寄りの部位に複数本のビス３１で固定されるＴ字状の固定レール３２と、この固定レール３２にスライド移動可能に係合するリップ形鋼形状の前記小口カバー８の上面の内壁面に複数本のビス３３で固定される可動側レール３４と、この可動側レール３４の前記固定レール３２との間に介装された、該可動側レール３４をスムーズにスライド移動させる、該固定レール３２に取付けられた複数個のスライドローラー３５、３５と、前記固定レール３２の上部側（笠木カバー体２９が山形形状であるため）に位置する部位に複数個取付けられた、前記可動側レール３４の内壁面と接触してスライド方向に案内するガイドローラー３６とで構成されている。
【００１７】
前記小口カバー８、８は前記笠木カバー６の笠木カバー体２９の両端部をスライド移動可能に覆う角パイプ材で格子状の山形形状に形成された小口カバー支持体３７と、この小口カバー支持体３７の両端部より下方へ突出するように一体形成された両側支持フレーム３８、３８と、この両側支持フレーム３８、３８および前記小口カバー支持体３７を覆う両側部に下方へ突出する両側部材３９、３９を有する小口カバー体４０と、この小口カバー体４０の外側端部３９、３９に溶接等によって固定されたカバー板１０とで構成されている。
【００１８】
前記外れ防止部材９、９、９、９は前記笠木カバー６の笠木カバー体２９の両端部寄りの部位に所定間隔で固定されたＺ字状の固定側係止片４１、４１、４１４１と、この固定側係止片４１、４１、４１、４１と係合するように前記小口カバー８、８の内側面に固定されたＺ字状の可動側係止片 ４２、４２、４２、４２とで構成され、外れ防止部材９Ａ、９Ａは前記笠木カバー６の両側部材３０、３０に所定間隔で複数個取付けられたローラー４３、４３と、この複数個のローラー４３、４３の下端部と接触するように小口カバー体４０の両側部材３９、３９の下端部を内側へ折り曲げて形成した係止片４４、４４とで構成されている。
【００１９】
前記小口カバー付勢装置１１、１１は一端が小口カバー８、８の両側支持フレーム３８、３８、３８、３８に固定され、他端が笠木カバー６の笠木カバー体２９の中央部寄りの部位に固定されたコイルスプリング４５、４５、４５、４５で構成されている。
【００２０】
上記構成の笠木装置１は、通常時は左右の建物３、３の外壁用目地装置１２、１２で覆われた天井部分の目地部２は笠木カバー６、小口カバー８、８で覆われており、内部への風雨の侵入を阻止している。
【００２１】
地震で左右の建物３、３が異なる左右方向に揺れ動く場合には、笠木カバー取付装置で、その揺れ動きを吸収する。
【００２２】
地震で左右の建物３、３が異なる前後方向に揺れ動くと、図１１に示すように前後方向の外方へ突出する左右の建物３、３の躯体、あるいは外壁用目地装置１２、１２によって、小口カバー８、８のカバー板１０、１０が外方へ押し付けられるため、複数個のスライドレール７、７、７、７、７、７を介して笠木カバー６に取付けられている小口カバー８、８は小口カバー付勢装置１１、１１の付勢力に抗してスムーズに外方へスライド移動して、その揺れ動きを吸収する。
【００２３】
なお、小口カバー８、８は外れ防止部材９、９、９、９、９Ａ、９Ａで笠木カバー６に取付けられるので、外れたりするのを確実に防止できるとともに、小口カバー付勢装置１１、１１，１１、１１によって、地震での揺れ動きが停止すると、自動的に元の状態へ戻る。    
【００２４】
[発明を実施するための異なる形態]
次に、図１２ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２５】
図１２ないし図１４に示す本発明を実施するための第２の形態において、前記本発明を実施するための第１の形態と主に異なる点は、笠木カバー体２９の両端部寄りの部位に、スライドレールの代わりに多数個のローラー４６、４６を取付けた点で、このような多数個のローラー４６、４６を用いても小口カバー８、８をスムーズにスライド移動できる笠木装置１Ａにすることができ、前記本発明を実施するための第１の形態と同様な作用効果が得られる。  
【００２６】
図１５ないし図１７に示す本発明を実施するための第３の形態において、前記本発明を実施するための第１の形態と主に異なる点は、高い方の一方の建物３Ａの外壁面３ｂと、低い方の他方の建物３のパラペット４の間を覆う笠木カバー６Ａの両端部に複数個のスライドレール７、７、７、外れ防止部材９、９、９Ａを介して小口カバー８Ａ、８Ａを取付けるとともに、小口カバー８Ａ、８Ａの一方の建物３Ａ側の端部の小口カバー体４０Ａを下方へ折り曲げてガイド片４７を形成し、該ガイド片４７を笠木カバー６Ａに取付けた複数個の支承ローラー４８、４９で支承するとともに、前後方向にスムーズに移動できるようにガイドし、該小口カバー体４０Ａの一方の建物３Ａ側の上面に先端部が当接して上方へ移動するのを阻止する押えプレート５０を一方の建物３Ａの外壁面３ｂに取付けた点で、このように構成した笠木装置１Ｂにしても、前記本発明を実施するための第１の形態と同様な作用効果が得られる。
【００２７】
図１８ないし図２０に示す本発明を実施するための第４の形態において、前記本発明を実施するための第３の形態と主に異なる点は、スライドレールの代わりに多数個のローラー４６を用いた点で、このように多数個のローラー４６を用いても、小口カバー８Ａをスムーズにスライド移動できる笠木装置１Ｃにすることができ、前記第３の実施の形態と同様な作用効果が得られる。
【００２８】
なお、前記本発明を実施する形態では、スライドレール７の固定レール３２を笠木カバー体２９に取付けたが、小口カバー８、８Ａの上面の内壁面の取付けてもよい。
【００２９】
また、多数個のローラー４６も笠木カバー体２９以外に、小口カバー８、８Ａの上面の内壁面に取付けてもよい。
【００３０】
さらに、外れ防止部材９Ａ、９Ａとして、笠木カバー６、６Ａの両側部材３０、３０に複数個のローラー４３、４３を使用したものについて説明したが、本発明はこれに限らず、アングル材等を用いたレールを使用してもよい。
【産業上の利用可能性】
【００３１】
本発明は目地部を介して設けられた左右の建物の間の目地部を覆う笠木装置を製造する産業で利用される。
【符号の説明】
【００３２】
１、１Ａ、１Ｂ、１Ｃ：笠木装置、
２：目地部、        ３、３Ａ：建物、
４：パラペット、        ５：笠木カバー取付装置、  
６、６Ａ：笠木カバー、    ７：スライドレール、
８、８Ａ：小口カバー、    ９、９Ａ：外れ防止部材、
１０：カバー板、      １１：小口カバー付勢装置、
１２：外壁用目地装置、    １３：傾斜面、
１４：水切り台、      １５：支持部、
１６：水切り部、      １７：水切り台本体、
１８：ガイド部材、      １９：横桟、
２０：取付けバー、      ２１：枢支金具、
２２：中央枢支部、      ２３：中央維持装置、
２４：支持杆、      ２５：笠木カバー支持フレーム、
２６：笠木カバー本体、    ２７：支持フレーム本体、
２８：側支持フレーム、    ２９：笠木カバー体、
３０：側部材、      ３１：ビス、
３２：固定レール、      ３３：ビス、
３４：可動側レール、    ３５：スライドローラー、
３６：ガイドローラー、    ３７：小口カバー支持体、
３８：側支持フレーム、    ３９：側部材、
４０、４０Ａ：小口カバー体、  ４１：固定側係止片、
４２：可動側係止片、    ４３：ローラー、
４４：係止片、      ４５：コイルスプリング、
４６：ローラー、      ４７：ガイド片、
４８、４９：支承ローラー、  ５０：押えプレート。
【図１】
2015055114.tif 000003
【図２】
2015055114.tif 000004
【図３】
2015055114.tif 000005
【図４】
2015055114.tif 000006
【図５】
2015055114.tif 000007
【図６】
2015055114.tif 000008
【図７】
2015055114.tif 000009
【図８】
2015055114.tif 000010
【図９】
2015055114.tif 000011
【図１０】
2015055114.tif 000012
【図１１】
2015055114.tif 000013
【図１２】
2015055114.tif 000014
【図１３】
2015055114.tif 000015
【図１４】
2015055114.tif 000016
【図１５】
2015055114.tif 000017
【図１６】
2015055114.tif 000018
【図１７】
2015055114.tif 000019
【図１８】
2015055114.tif 000020
【図１９】
2015055114.tif 000021
【図２０】
2015055114.tif 000022